(57)【要約】      （修正有）【課題】用途に応じたスピーカユニットの高さと幅を自由に変えることができ、なおかつデザイン面でも自由度の高いスピーカシステムを提供する。【解決手段】左右スピーカの間隔と高さを任意に調整する手段として、伸縮式の導電性ロッド２本をアームとして利用する。この伸縮式多段ロッドのアームによる回転軸で固定することで、左右スピーカ間隔と高さを最適な位置に調整できる構造を具現化する。【選択図】図２
2006211625.tif 000002
【特許請求の範囲】
【請求項１】
スピーカユニットとスピーカスタンドが、スピーカユニット１個につき２本の伸縮可能な導電性多段ロッドで連結されていることを第１の特徴とし、上記、伸縮可能な導電性多段ロッドがスピーカスタンドに回転軸で固定されていることを第２の特徴とする、スピーカシステム。
【請求項２】
請求項１の２本１対の導電性多段ロッドが、スピーカユニットが動く方向に動こうとするとき、２本のロッドの双方又は少なくとも一方の導電性多段ロッドが伸縮する方向に動くよう、２本のロッドのスタンドに固定された回転軸の水平位置と垂直位置の双方が異なる位置にあることを第３の特徴とする、スピーカシステム。
【請求項３】
請求項１の左右のスピーカユニットが、それぞれ２本１対の導電性多段ロッドでスピーカスタンドに回転軸で固定されていることを第４の特徴とし、左の２本１対の導電性多段ロッドと右の２本１対の導電性多段ロッドが非接触の状態で交差する構造であることを第５の特徴とし、４本の導電性多段ロッドの伸縮と回転によって生じるところの、非接触の交差点の中心位置に絶縁ピースＡを設け、その絶縁ピースＡが４本の導電性ロッド相互間を絶縁するための空間を確保する構造であることを第６の特徴とし、  左右のスピーカユニットの位置が変わることによって４本のロッドによって生ずる非接触の交差点の移動に伴い絶縁ピースＡが移動することを第７の特徴とする、スピーカシステム。
【請求項４】
スピーカユニットを支える２本１対の導電性多段ロッド間の絶縁空間を確保すべく、導電性多段ロッドを掴む構造を有する柔軟性材料で作られた絶縁ピースＢを有することを第８の特徴とする、スピーカシステム。
【請求項５】
請求項１と請求項２の導電性多段ロッドがパワーアンプとスピーカユニットを接続する配線として機能していることを第９の特徴とする、スピーカシステム。
【請求項６】
請求項１の、左右のスピーカユニットの向きを揃えるべく、左右のスピーカユニットを支える平板、もしくはスピーカ間隔に応じて伸縮可能な平板をスピーカユニットに装着していることを第１０の特徴とする、スピーカシステム。
【発明の詳細な説明】
【発明の詳細な説明】
【技術分野】
【０００１】スピーカ取り付け、構造に関する。
【背景技術】
【０００２】小型のスピーカは、机上に直接置いて使われる場合がほとんどである。スピーカが机上に置かれた場合、スピーカが空間に在る場合に比べて音質が悪い。スピーカの高さと幅を可変できるスピーカシステムでは、パワーアンプからスピーカまでの給電を考慮しなければならないことから、外観デザインの自由度が狭く高級感のある商品に仕上げることが難しい。
【発明が解決しようとしている課題】
【０００３】用途に応じたスピーカユニットの高さと幅を自由に変えることができ、なおかつデザイン面でも自由度の高いスピーカシステム。
スピーカユニットの机の面からの高さを確保することで、机の面からの反射音が小さいスピーカシステム。
【課題を解決するための手段】
【００４】伸縮可能な導電性多段ロッド２本とその導電性多段ロッドのスピーカスタンドとの取り付け部を回転軸で固定することによって、他の一方に固定されたスピーカユニットをスピーカスタンドからの高さとスピーカユニット間の幅を一定範囲内で自在に変えることができる。
以下図面を用いて詳細を説明する。
【０００５】図１は伸縮可能な導電性多段ロッドの説明図である。
（１１）は回転軸を示し、この部分がスピーカスタンドに固定される。（１２）はスピーカユニットに固定される部分。（１３）（１４）（１５）はそれぞれ１段目、２段目、３段目のロッドである。
（１４）のロッドは（１３）のロッドの内部をスライドし、（１５）のロッドは（１４）のロッドの内部をスライドする。
【０００６】図１（ａ）はロッドが縮んだ状態、図１（ｂ）はロッドが伸びた状態を示す。ロッドの段数は本発明の本質とするところではない。伸縮の範囲が大きくて、ロッドの収納数ペースが小さければ必然的にロッドの段数は多くなる。
ロッドはスピーカへの給電が可能な低抵抗の導電性材料である。質感も必要なところではあるので、ロッドの材料はクロムメッキされた鉄または真鍮が一般的である。
【０００７】図２は本発明の一実施例の構造図である。
図２（ａ）はロッドを引き延ばしてスピーカユニットの位置を変化させた状態を示す。図２（ｂ）はロッドを縮めた状態を示す。  それぞれ、ロッドの角度を変化させた際、回転の中心（２６）を軸に０°、４５°、９０°回転させた場合を図上に重ねて示す。
【０００８】ロッド（２２）およびロッド（２３）は、支点（２４）および支点（２５）を中心として角度を可変できる。  支点（２４）、支点（２５）の位置関係は、縦と横の距離が離れた状態にある。
【０００９】９０°、あるいは０°方向に角度調整を行うと、支点（２４）からスピーカユニット（２１）までの距離と、支点（２５）からスピーカユニット（２１）までの距離の差が発生する。縦方向の最大差が（２７）、横方向の最大差が（２８）となる。このとき、差（２７）が発生するときはロッド（２２）の長さを伸ばし、差（２８）が発生するときはロッド（２３）を伸ばす必要があることから、ロッドの伸縮摩擦力によってスピーカユニットの重さを支え、安定してスピーカユニットの空間位置を確保する。従って２本のロッド（２２）（２３）の回転軸が垂直方向、水平方向にずれていることは重要である。
【００１０】（２１）はスピーカユニット。（２２）（２３）は２本の導電性多段ロッド。（２４）（２５）はロッドのスタンド側固定回転軸の中心。（２６）は２本１組のロッドの回転中心軸を示す。（２７）（２８）はスピーカシステムを、固定回転軸を中心に角度を変化させた際に生じるロッド（２２）（２３）の長さの最大差。スピーカユニットの位置が９０°に近づくほどロッド（２２）（２３）の長さの差が（２７）に近づき、０°に近づくほどロッド（２２）（２３）の長さの差が（２８）に近づく。
【関連する発明】
【００１１】図３は本発明の一実施例の構造図である。
図３（ａ）は、図２（ａ）の導電性多段ロッドを左右一組とした場合の、左右のスピーカユニットが高く広い間隔に位置している状態を示す。
図３（ｂ）（ｃ）は、スピーカユニットをスピーカスタンドに収納した状態を示す。（ｂ）は上面から、（ｃ）は正面からの状態を示す。
【００１２】（３１）はスピーカユニット、（３２）（３３）は導電性多段ロッド。（３４）（３５）はロッドの固定回転軸。（３６）は４本のロッドが接触しないよう、絶縁空間を保つための絶縁ピースＡである。
【００１３】図４は図３の（３６）絶縁ピースＡの実施例の説明図である。
絶縁ピースＡは、導電性多段ロッド同士の接触を防ぐ役割を持つ。
本発明のスピーカシステムは、スピーカユニットを支える導電性多段ロッドが近接した構造となっている。導電性多段ロッドを引き延ばした状態では捻れや撓みによって、導電性多段ロッド間で接触し、不都合が発生する可能性がある。
【００１４】図４は導電性多段ロッド間の接触を回避する手段の一実施例の説明図である。図４（ａ）は絶縁ピースＡの構造、（ｂ）はその絶縁ピースＡが４本のロッドの相互間を絶縁する様子、（ｃ）は絶縁ピースＡがロッド間の空間を確保している様子、（ｄ）は絶縁ピースＡが左右のロッド間の空間を確保している様子、（ｅ）は２本１対のロッド間の空間を確保している様子を示す。
（４１）は絶縁ピースＡ、（４２）（４３）は右の２本の導電性多段ロッド、（４４）（４５）は左の２本の導電性多段ロッドである。
【００１５】図５はスピーカユニットを支える２本１対の導電性多段ロッド相互間の距離を確保し、接触を防ぐための絶縁ピースＢの説明図である。
（ａ）の（５１）は、絶縁ピースＢに設けた切り込み部が２本のロッド（５２）（５３）を掴み込む形で２本のロッド相互間の距離を確保する、絶縁ピースＢの一例である。
【００１６】図５（ｂ）（ｃ）は、導電性多段ロッドの間隔が変わった場合、絶縁ピースＢが伸縮して２本のロッドを支えている様子を示す。絶縁ピースＢは、変化するロッド間隔に応じて伸縮する柔軟な材質からなる。スピーカの位置が変わることで２本１対の導電性多段ロッドの間隔も変化する。図５の（ｄ）は絶縁ピースＢとスピーカユニットと２本の導電性多段ロッドとの関係を示す。
【００１７】図６は左右のスピーカユニットの高さを揃えるための構造の説明図である。
（６１）（６２）はスピーカユニット。（６３）（６４）はスピーカユニット背面に左右のスピーカユニットの向きを固定するスピーカ軸固定板であって、この実施例では（６３）（６４）がスライドすることによってスピーカユニットの間隔の変化に対応する。スピーカ軸固定板（６３）（６４）は、２段スライド構造になっていて両端は伸縮するものの、左右のスピーカ軸を一定に保つべくスピーカユニット背面に固定し、かつ、スピーカユニットの重みや導電性多段ロッドの撓みでは左右スピーカ軸が不揃いにならない程度の、捻れ方向に対し強度を保つ。
【００１８】スピーカ軸固定板（６３）（６４）は導電性多段ロッドの弱点であるところのスピーカを支える力の内、捻れ方向の強度を補う。スピーカ軸固定板が無い場合はロッドの回転によってスピーカ軸がぶれやすい。
図６（ａ）は正面、図６（ｂ）は上面から見た、スピーカ軸固定板とピーカユニットの取り付け構造を示す。
【００１９】図７は導電性多段ロッドが持つスピーカユニットへの接続線の役割を説明する図である。
（７１）はスピーカユニットである。スピーカユニットはプラス電極とマイナス電極があり、それぞれスピーカユニット固定軸金具（７６）（７７）で導電性多段ロッド（７２）（７３）と接続される。パワーアンプの出力はスピーカスタンド側の固定回転軸金具（７８）（７９）に接続され、固定回転軸（７４）（７５）で導電性多段ロッド（７２）（７３）と接続される。（７２）（７３）（７４）（７５）（７６）（７７）（７８）（７９）は、それぞれ導電性材料で構成され、パワーアンプの出力はスピーカユニットに伝わる。
【００２０】図８は本発明を商品として応用したスピーカシステムの一実施例を示す。
小型スピーカシステムであることから旅行カバンに収納でき、使用するときはスピーカを高く広くすれば、空間の点音源から出る広がり感のある、反射音の少ない、良い質感の音楽を楽しむことができる。
【００２１】図８（ａ）はスピーカユニットを空間に位置させた場合の図。
図８（ｂ）はスピーカユニットをコンパクトに収納した場合の図である。
（８１）（８２）はスピーカユニット。（８３）（８４）はスピーカ軸固定板。（８５）（８６）（８７）（８８）は導電性多段ロッド。（８９）は絶縁ピースＡ。（８１０）はスピーカスタンドである。
【産業上の利用可能性】
【００２２】小型スピーカを良好な音質で再生でき収納性も良いスピーカシステムの設計が可能となる。
【発明を実施するための最良の形態】
【００２３】スピーカシステム
【実施例】
【００２４】図−８に示す。
【図面の簡単な説明】
【図１】導電性多段ロッドの説明図。
【図２】本発明の一実例の説明図。
【図３】本発明の一実例の説明図。
【図４】絶縁ピースＡの説明図。
【図５】絶縁ピースＢの説明図。
【図６】スピーカ軸固定板の説明図。
【図７】配線の仕組みの説明図。
【図８】本発明の一実例の説明図。
【符号の説明】
１１    スピーカスタンド側固定軸
１２    スピーカユニット側固定軸
１３    １段目ロッド
１４    ２段目ロッド
１５    ３段目ロッド
２１    スピーカユニット
２２    導電性多段ロッド
２３    導電性多段ロッド
２４    固定回転軸
２５    固定回転軸
２６    回転中心軸
２７    ２つの固定回転軸の高さの差
２８    ２つの固定回転軸の横位置の差
３１    スピーカユニット
３２    導電性多段ロッド
３３    導電性多段ロッド
３４    固定回転軸
３５    固定回転軸
３６    絶縁ピースＡ
４１    絶縁ピースＡ
４２    導電性多段ロッド
４３    導電性多段ロッド
４４    導電性多段ロッド
４５    導電性多段ロッド
５１    絶縁ピースＢ
５２    導電性多段ロッド
５３    導電性多段ロッド
６１    スピーカユニット
６２    スピーカユニット
６３    スピーカ軸固定板
６４    スピーカ軸固定板
７１    スピーカユニット
７２    導電性多段ロッド
７３    導電性多段ロッド
７４    固定回転軸
７５    固定回転軸
７６    スピーカユニット固定軸金具
７７    スピーカユニット固定軸金具
７８    固定回転軸金具
７９    固定回転軸金具
８１    右スピーカユニット
８２    左スピーカユニット
８３    スピーカ軸固定板
８４    スピーカ軸固定板
８５    導電性多段ロッド
８６    導電性多段ロッド
８７    導電性多段ロッド
８８    導電性多段ロッド
８９    絶縁ピースＡ
８１０  スピーカスタンド
【図１】
2006211625.tif 000003
【図２】
2006211625.tif 000004
【図３】
2006211625.tif 000005
【図４】
2006211625.tif 000006
【図５】
2006211625.tif 000007
【図６】
2006211625.tif 000008
【図７】
2006211625.tif 000009
【図８】
2006211625.tif 000010